(57)【要約】【課題】切り替えスイッチを確実に施錠でき、設定が「ＯＮ」の状態で放置されることが無く、遊技に関する設定について不正行為を行いにくい遊技機を提供する。【解決手段】遊技に関する確率を設定するための確率設定部３０を筐体内に備えた遊技機であって、確率設定部は、確率設定部本体４００と前記確率設定部本体に取り付けられるとともに確率の設定操作を有効化及び無効化する切り替えスイッチＳＷと、切り替えスイッチを取り囲むように形成された枠部３５と、枠部に備えられ回転移動することにより切り替えスイッチを覆うことが可能な扉１００と、確率を切り替え設定する切り替え部３１とを備える。【選択図】　　　図４
2004065684.tif 000002
【特許請求の範囲】
【請求項１】
遊技に関する確率を設定するための確率設定部を筐体内に備えた遊技機であって、
前記確率設定部は、
確率設定部本体と
前記確率設定部本体に取り付けられるとともに、前記確率設定操作を有効化及び無効化する切り替えスイッチと、
前記切り替えスイッチを取り囲むように形成された枠部と、
前記枠部に備えられ移動することにより前記切り替えスイッチを覆うことが可能な扉と、
前記確率を切り替え設定する切り替え部と
を備えることを特徴とする遊技機。
【請求項２】
前記枠部および前記扉に関して、施錠装置が設けられていることを特徴とする請求項１に記載の遊技機。
【請求項３】
前記施錠装置は、前記鍵により回転される回転子と、前記回転子の回転軸に平行に移動可能な障害部材とを備え、
前記扉が開状態では、前記障害部材が前記回転子に衝突する位置にあることにより前記回転子の回転が規制され、
前記障害部材は、前記扉の閉鎖動作により前記確率設定部本体の直接の接触を受けて、前記回転子との衝突が生じない位置まで移動されて、回転の規制が解除されるように構成されたことを特徴とする請求項２に記載の遊技機。
【請求項４】
前記施錠装置の鍵は、施錠位置でのみ抜き取りが可能に構成されたことを特徴とする請求項２又は３に記載の遊技機。
【請求項５】
前記扉が閉鎖されている状態において、前記切り替えスイッチの操作部の移動は前記操作部と前記施錠装置との衝突が発生して規制されることを特徴とする請求項２〜４のいずれかに記載の遊技機。
【請求項６】
前記切り替えスイッチが「ＯＦＦ」の状態においては、前記施錠装置は切り替えスイッチの操作部に接することがない位置にあり、前記切り替えスイッチが「ＯＮ」の状態においては、前記施錠装置が前記操作部と接触する位置にあることにより、前記扉の閉鎖が規制されることを特徴とする請求項２〜４のいずれかに記載の遊技機。
【請求項７】
遊技に関する確率を設定するための確率設定部を筐体内に備えた遊技機であって、
前記確率設定部は、確率設定部本体と、前記確率設定部本体に取り付けられるとともに前記確率の設定操作を有効化及び無効化する切り替えスイッチと、前記切り替えスイッチを取り囲むように形成された枠部と、前記枠部に備えられ移動することにより前記切り替えスイッチを覆うことが可能な扉と、前記枠部および前記扉に関して設けられた施錠装置と、前記確率を切り替え設定する切り替え部と、を具備し、
前記施錠装置は、鍵により回転される回転子と、前記回転子の回転軸に平行に移動可能な障害部材とを備え、前記扉が開状態では、前記障害部材が前記回転子に衝突する位置にあることにより前記回転子の回転が規制され、前記障害部材は、前記扉の閉鎖動作により「ＯＦＦ」状態にある前記切り替えスイッチの操作部材による直接の接触を受けて、前記回転子との衝突が生じない位置まで移動されて、前記回転子の施錠位置までの回転の規制が解除されるように構成され、
前記施錠装置の鍵は、施錠位置でのみ抜き取りが可能に構成されたことを特徴とする遊技機。
【請求項８】
前記確率設定部には、固定手段により前記確率設定部を覆う蓋が取り付けられており、前記設定スイッチを覆う扉にはその閉鎖位置において前記固定手段を覆う遮蔽部が設けられていることを特徴とする請求項１〜７のいずれかに記載の遊技機。
【請求項９】
前記確率設定部は、前記筐体に第２の固定手段にて取り付けられており、前記扉にはその閉鎖位置において前記第２の固定手段を覆う第２の遮蔽部が設けられていることを特徴とする請求項１〜８のいずれかに記載の遊技機。
【請求項１０】
前記筐体とその前面を覆うフロントドアとには第２の施錠装置が設けられ、
前記扉が開状態の時には前記扉と前記フロントドアとの位置的重なりが生じて前記フロントドアの閉鎖が規制されるように構成された請求項１〜９のいずれかに記載の遊技機。
【請求項１１】
前記筐体とその前面を覆うフロントドアとには第２の施錠装置が設けられ、
前記扉が開状態の時には前記扉が前記フロントドアの第２の施錠装置の施錠動作を不能とする位置に配置されることにより前記第２の施錠装置の施錠が規制されるように構成された請求項１〜９のいずれかに記載の遊技機。
【発明の詳細な説明】
【０００１】
【発明の属する技術分野】
本発明は、遊技に関する確率を設定することができる遊技機に関する。
【０００２】
【従来の技術】
通常、パチンコ機やパチスロ機などの遊技機は出玉率やペイアウト率を、所定数の段階で変更できるようにされている。このような変更は、遊技機筐体内部にある設定ボックスの切り替えスイッチを利用して行うことができる。この切り替えスイッチは、いわゆるキースイッチで構成され、キー操作による「ＯＮ」、「ＯＦＦ」の切り替えによって、設定操作の有効、無効を切り替える方式をとっている。
【０００３】
【発明が解決しようとする課題】
しかし、遊技機において出玉率やペイアウト率の設定は直接遊技の結果に影響するため、不正行為の対象とされやすい。キースイッチの場合、「ＯＮ」、「ＯＦＦ」の切り替えのみで直ちにこれらの設定変更が可能な状態となるので不正行為を招き易いという問題があった。またスイッチを「ＯＮ」のままにしておくと、遊技機外部からでも設定を変える不正行為を容易に行うことができる場合があるので、遊技場側が設定操作を行う場合は、設定後に確実にスイッチを「ＯＦＦ」の状態にする必要があった。
【０００４】
そこで、本発明は、切り替えスイッチを確実に「ＯＦＦ」の状態にして、設定が「ＯＮ」の状態で放置されることが無く、遊技に関する設定について不正行為を行いにくい遊技機を提供することを課題とする。
【０００５】
【課題を解決するための手段】
以下、本発明について説明する。なお、本発明の理解を容易にするために添付図面の参照符号を括弧書きにて付記するが、それにより本発明が図示の形態に限定されるものではない。
【０００６】
請求項１の発明は、遊技に関する確率を設定するための確率設定部（３０）を筐体内に備えた遊技機（１）であって、確率設定部は、確率設定部本体（４００）と前記確率設定部本体に取り付けられるとともに確率の設定操作を有効化及び無効化する切り替えスイッチ（ＳＷ）と、切り替えスイッチを取り囲むように形成された枠部（３５）と、枠部に備えられ移動することにより切り替えスイッチを覆うことが可能な扉（１００）と、確率を切り替え設定する切り替え部（３１）とを備えることを特徴とする遊技機により前記課題を解決する。ここに「遊技に関する確率」とは、プレイヤーが投じた遊技価値に対して遊技を通じてプレイヤーに戻される遊技価値の統計的な率をいう。たとえばパチンコの出玉率、スロットマシンにおけるペイアウト率等は遊技に関する確率である。
【０００７】
この発明によれば切り替えスイッチは、枠部と扉とにより保護されているので、不正行為を招きにくい。
【０００８】
請求項２の発明は、請求項１に記載の遊技機において、枠部（３５）および扉（１００）に関して、施錠装置（５００）が設けられていることを特徴とする。
【０００９】
この発明によれば切り替えスイッチと施錠装置とは独立して設けられているので、遊技機の設定を変更するには、まず施錠装置を開錠してから切り替えスイッチを「ＯＮ」の状態に切り替える必要がある。したがって、設定変更可能な状態にするには二段階の操作を必要とするので、いわゆるキースイッチのようにキー操作のみにて直接設定を変更可能な状態にできる場合に比較して、不正操作を行いにくい。また、スイッチの電気的構成と施錠装置の機械的構成とが分離独立しているので、メンテナンスや故障の際の対応が容易なものとなる。また、スイッチ部分と施錠装置部分とで個別に取替えることができる。
【００１０】
請求項３の発明は、請求項２に記載の遊技機において、施錠装置（５００）は、鍵（４０）により回転される回転子（６０）と、回転子の回転軸に平行に移動可能な障害部材（３００）とを備え、扉が開状態では障害部材が回転子に衝突する位置にあることにより前記回転子の回転が規制され、障害部材は扉の閉鎖動作により確率設定部本体の直接の接触を受けて回転子との衝突が生じない位置まで移動されて、回転子の施錠位置までの回転の規制が解除されるように構成されたことを特徴とする。ここでいう「回転子」とは、鍵を回転することにより回転される部材であって、例えばデッドボルトのように回転の軸心から周方向に延設された棒状あるいは平板状の部材をいう。また、「障害部材」とは、回転子に位置的に重なる配置を取ることにより回転子の移動を妨げることができる部材をいう。
【００１１】
この発明によれば障害部材は、確率設定部本体により、直接接触を受けて移動されるので、２以上の部材により構成されるものに比べて構造が簡単であり、誤作動が起こりにくい。したがって、製造コストの低減が可能となり、また使用に伴う故障の発生が少なく、動作の信頼性の高い長寿命の施錠装置を備えた遊技機を提供することができる。
【００１２】
請求項４の発明は、請求項２又は３に記載の遊技機において、施錠装置（５００）の鍵（４０）は施錠位置でのみ抜き取りが可能に構成されたことを特徴とする。
【００１３】
この発明によれば、扉が開かれた状態では、障害部材が回転子の回転を規制し、扉を閉じる動作により障害部材が移動されて、はじめて回転子の施錠位置までの回転が許容される。一方錠の鍵は施錠位置のみにて抜き取ることができるようにされている。したがって、この遊技機においては、施錠が完了しない限り鍵の抜き取りをすることができないので、施錠のし忘れを防止することができる。例えば遊技場の従業員が遊技確率の設定操作を行った後に施錠装置の施錠を忘れそうになっても、鍵を抜き取ることができないので、施錠のし忘れにすぐに気が付き、結果として施錠が確実に行われる。もって鍵のかけ忘れに乗じた不正行為の発生を未然に防止することができる。
【００１４】
請求項５の発明は、請求項２〜４のいずれかに記載の遊技機において、切り替えスイッチ（ＳＷ）の操作部（３６）は、「ＯＮ」の状態と「ＯＦＦ」の状態とでは異なる姿勢、及び／又は、位置をとり、扉（１００）が閉鎖されている状態において操作部が「ＯＦＦ」の姿勢、及び／又は、位置を取るときは、操作部の「ＯＦＦ」から「ＯＮ」への姿勢、及び／又は、位置の変更は操作部と施錠装置（５００）との衝突が発生して規制されることを特徴とする。
【００１５】
この発明によれば、扉が閉鎖中にはスイッチを「ＯＮ」とすることはできないので、遊技機外部から物を差し入れて確率の設定を変えようとする不正を防止することができる。
【００１６】
請求項６の発明は、請求項２〜４に記載の遊技機において、切り替えスイッチ（ＳＷ）が「ＯＦＦ」の状態においては、施錠装置（５００）は切り替えスイッチの操作部（３６）に接することがない位置にあり、前記切り替えスイッチが「ＯＮ」の状態においては、前記施錠装置が前記操作部と接触する位置にあることにより、前記扉の閉鎖が規制されることを特徴とする。このように「ＯＮ」、「ＯＦＦ」により姿勢を変える操作部を有するスイッチとしては、例えば押し込み方向に位置を変える押しボタンスイッチや、上下又は左右方向に位置を変えるトグルスイッチ、スライドスイッチ、ロッカースイッチ、ロータリースイッチ、及び、レバースイッチなどがある。
【００１７】
この発明によれば、設定を変更できる状態のまま扉を閉じようとしても、錠とスイッチ操作部との衝突が発生するので扉を閉じることができない。したがって設定可能な状態のまま扉が閉じられて放置されるような事態が回避され、不正行為を未然に防ぐことができる。
【００１８】
請求項７の発明は、遊技に関する確率を設定するための確率設定部（３０）を筐体内に備えた遊技機であって、確率設定部は確率設定部本体（４００）と確率設定部本体に取り付けられるとともに確率の設定操作を有効化及び無効化する切り替えスイッチ（ＳＷ）と、切り替えスイッチを取り囲むように形成された枠部（３５）と、枠部に備えられ移動することにより切り替えスイッチを覆うことが可能な扉（１００）と、枠部および前記扉に関して設けられた施錠装置（５００）と、確率を切り替え設定する切り替え部（３１）とを具備し、施錠装置は鍵（４０）により回転される回転子（６０）と、回転子の回転軸に平行に移動可能な障害部材（３００）とを備え、扉が開状態では障害部材が回転子に衝突する位置にあることにより回転子の回転が規制され、障害部材は扉の閉鎖動作により「ＯＦＦ」状態にある切り替えスイッチの操作部材による直接の接触を受けて、回転子との衝突が生じない位置まで移動されて、回転子の施錠位置までの回転の規制が解除されるように構成され、施錠装置の鍵は、施錠位置でのみ抜き取りが可能に構成されたことを特徴とする遊技機である。
【００１９】
この発明によれば、障害部材は「ＯＦＦ」状態の操作部材からの直接の接触により移動されて回転子との衝突状態が解除され、鍵の抜き取りが可能となる。すなわちスイッチが「ＯＦＦ」の状態にならなければ、障害部材は回転子との衝突状態から解放されることはなく、鍵の抜き取りが不可能となっているので、簡素な構造にて鍵のかけ忘れを防止することができる。
【００２０】
請求項８の発明は、請求項１〜７のいずれかに記載の遊技機において、確率設定部（３０）には固定手段（４０９、４０９ａ）により確率設定部を覆う蓋（４０１）が取り付けられており、扉（１００）にはその閉鎖位置において固定手段を覆う遮蔽部（１０２ｃ）が設けられていることを特徴とする。
【００２１】
この発明によれば、不正行為を行おうとするものが、確率設定部の蓋を開けようとしても、蓋の固定手段が遮蔽部により覆われているので、不正行為の目的を果たすことが困難である。
【００２２】
請求項９の発明は、請求項１〜８のいずれかに記載の遊技機において、確率設定部（３０）は筐体に第２の固定手段（４１２）にて取り付けられており、扉（１００）にはその閉鎖位置において第２の固定手段を覆う第２の遮蔽部が設けられていることを特徴とする。
【００２３】
この発明によれば、不正行為を行おうとするものが、確率設定部を筐体から取り外そうとしても、確率設定部を筐体に固定している固定手段が第２の遮蔽部にて覆われているので目的を果たすことができない。
【００２４】
請求項１０の発明は、請求項１〜９のいずれかに記載の遊技機において、筐体とその前面を覆うフロントドア（３）とには第２の施錠装置（７００）が設けられ、扉（１００）が開状態の時には扉とフロントドアとの位置的重なりが生じてフロントドアの閉鎖が規制されるように構成されたことを特徴とする。
【００２５】
この発明によれば、扉が開状態の時にはフロントドアの閉鎖ができないので、第２の施錠装置の施錠をすることもできない。したがって、たとえ切り替えスイッチがオンのまま扉が開状態にされた場合であってもその状態にすぐに気がつくことができ、切り替えスイッチがオンのままに放置される状態が回避される。
【００２６】
請求項１１の発明は、請求項１〜９のいずれかに記載の遊技機において、筐体とその前面を覆うフロントドア（３）とには第２の施錠装置（７００）が設けられ、扉（１００）が開状態の時には扉がフロントドアの第２の施錠装置の施錠動作を不能とする位置に配置されることにより第２の施錠装置の施錠が規制されるように構成されたことを特徴とする。
【００２７】
この発明によれば、請求項１０の発明と同様に、扉が開状態の時には第２の施錠装置の施錠をすることができない。したがって、たとえ切り替えスイッチがオンのまま扉が開状態にされた場合であってもその状態にすぐに気がつくことができ、切り替えスイッチがオンのままに放置される状態が回避される。
【００２８】
また、請求項１１の発明の変形として、遊技に関する確率を設定するための確率設定部（３０）を筐体内に備えた遊技機（１）であって、確率設定部は確率設定部本体（４００）と、確率設定部本体に取り付けられるとともに確率の設定操作を有効化及び無効化する切り替えスイッチ（ＳＷ）と、切り替えスイッチを取り囲むように形成された枠部（３５）と、枠部に備えられ移動することにより切り替えスイッチを覆うことが可能な扉（１００）と、枠部および扉に関して設けられた第１の施錠装置（５００）と、確率を切り替え設定する切り替え部（３１）とを具備し、第１の施錠装置は、鍵により回転される回転子（６０）と、回転子の回転軸に平行に移動可能な障害部材（３００）とを備え、開閉装置が開状態では、障害部材が回転子に衝突する位置にあることにより回転子の回転が規制され、障害部材は、扉の閉鎖動作により確率設定部本体の直接の接触を受けて、回転子との衝突が生じない位置まで移動されて、回転子の施錠位置までの回転の規制が解除されるように構成され、第１の施錠装置の鍵は施錠位置でのみ抜き取りが可能に構成され、さらに、筐体にはその前面を覆うフロントドアが取り付けられ、筐体とフロントドアとには第２の施錠装置（７００）が設けられ、扉が開状態の時には扉とフロントドアとの位置的重なり得る状態が生じてフロントドアの閉鎖が規制されるように構成された遊技機として構成することもできる。
【００２９】
このようにすれば、設定切り替えスイッチを覆う扉が開状態のままであると第１の施錠装置の鍵を抜き取ることができないと同時に、第２の施錠装置の施錠もできない。従って、２重に設定切り替えスイッチを覆う扉が開状態のままである事が喚起されるので、確実に切り替えスイッチがオンのままに放置される状態が回避される。
【００３０】
本発明のこのような作用及び利得は、次に説明する実施の形態から明らかにされる。
【００３１】
【発明の実施の形態】
以下本発明をスロットマシンに適用した場合につき、図面に示す実施形態に基づき説明する。
【００３２】
＜１．スロットマシンの外観＞。
図１は、本発明の一実施形態に係るスロットマシン１の外観を示す斜視図である。スロットマシン１の筐体は、筐体本体２と筐体本体２の前面に取り付けられたフロントドア３とを備えている。フロントドア３の上段には、所定の情報をプレイヤーに提示する液晶表示装置９が設けられている。フロントドア３中段のパネル表示部１１には、縦長長方形の３つの表示窓４ａ、４ｂ、４ｃが設けられている。表示窓４ａ、４ｂ、４ｃは、例えばアクリル樹脂等の透明な材料により形成されている。また、表示窓４ａ、４ｂ、４ｃ上には水平に３本、斜めに２本の入賞ラインＬ１〜Ｌ５が設けられている。各表示窓４ａ、４ｂ、４ｃの内側には、各々の外周面に複数種類の図柄が描かれた３列の左・中・右リールＲ１、Ｒ２、Ｒ３が回転自在に設けられている。したがって、プレイヤーは、各表示窓４ａ、４ｂ、４ｃを通して左・中・右リールＲ１、Ｒ２、Ｒ３の図柄を観察できる。
【００３３】
表示窓４ａの左側には補助表示部２０が設けられている。補助表示部２０は、各入賞ラインＬ１〜Ｌ５に各々対応する５個のＬＥＤからなる。プレイヤーがメダルを投入し、あるいは、後述するベット操作を行うと、ベット数に応じた数の入賞ラインＬ１〜Ｌ５が有効となる。補助表示部２０を構成する各ＬＥＤは、対応する入賞ラインＬ１〜Ｌ５が有効である場合に点灯し、無効である場合に消灯する。これによって、プレイヤーは、どの入賞ラインＬ１〜Ｌ５が有効であるかを知ることができる。また補助表示部２０に加えて、リール窓とストップＳＷの中間に３つの表示部２５ａ、２５ｂ、２５ｃが設けられている。表示部２５ｃは後述するペイアウト率設定操作の際、スロットマシン１に現在設定されているペイアウト率に関する段階の表示を行う。これについては後に詳しく説明する。
【００３４】
表示窓４ａ、４ｂ、４ｃの下方には、プレイヤーが遊技を実行するための各種操作部材が配置された操作部１２が設けられている。操作部１２は、メダル投入口５、スタートレバー６、左・中・右リールストップボタン７ａ，７ｂ，７ｃ、クレジットボタン８、ＢＥＴボタン１５、およびフロントドア錠挿入部１３とを備える。
【００３５】
メダル投入口５は、表示窓４ｃの下方に設けられており、メダルを投入できるようになっている。メダルを１枚投入すると入賞ラインＬ１が有効となり、メダルを２枚投入すると入賞ラインＬ１〜Ｌ３が有効となり、メダルを３枚投入すると入賞ラインＬ１〜Ｌ５が有効となる。さらに、プレイヤーが３枚を超えてメダルを投入すると、スロットマシン１は４枚以上のメダル数をクレジットとして貯留する。
【００３６】
ＢＥＴボタン１５は、表示窓４ａの左斜下に設けられている。ＢＥＴボタン１５は、プレイヤーが一回のゲームでベットするメダル数を指定するために用いられる。このＢＥＴボタン１５をプレイヤーが操作することで、メダル投入口５からメダルを投入しなくても、貯留されたメダルをベットすることができる。このため、ＢＥＴボタン１５の操作によって指定されたメダル数に応じて、入賞ラインＬ１〜Ｌ５が適宜有効となる。ＢＥＴボタン１５の操作によって指定されたメダル数と有効となる入賞ラインＬ１〜Ｌ５との関係は、メダルを直接投入する場合と同じである。
【００３７】
スタートレバー６は、ＢＥＴボタン１５の下方に設けられている。スタートレバー６は、プレイヤーがゲームの開始を指示するために用いられる。プレイヤーがスタートレバー６を押し下げると、リールＲ１、Ｒ２、Ｒ３が一斉に回転を開始し、表示窓４ａ、４ｂ、４ｃ内の図柄が可変表示となる。
【００３８】
左・中・右リールストップボタン７ａ、７ｂ、７ｃは、スタートレバー６の右横に設けられている。左・中・右リールストップボタン７ａ、７ｂ、７ｃは、表示窓４ａ、４ｂ、４ｃ内で回転する３列の左・中・右リールＲ１、Ｒ２、Ｒ３をそれぞれ停止させるために用いられる。
【００３９】
リールストップボタン７ｃの右側には、メダルをスロットマシン１に貯留するか否かを決定するためのクレジットボタン８が設けられている。プレイヤーがクレジットボタン８を操作することによりクレジットを有効とするか、または無効とするかを変更することができる。所定の場合、メダル払出口１０ａからメダルがプレイヤーに払い出され、メダル受皿１０に貯留される。
【００４０】
フロントドア３と筐体本体２とのの間には不図示の施錠装置が設けられ、遊技場等にてスロットマシン１がプレイヤーの遊技に供せられている間はこの施錠装置により施錠され、プレイヤーが筐体の内部に触れることができないようにされている。フロントドア錠挿入部１３は、上記施錠装置の開閉を行なうための、鍵を差し入れる孔として設けられている。スロットマシンはホールに納入後、そのホール専用の施錠装置に付け替えられる事が多く、その付け替えられた施錠装置の鍵を通常「ハウスキー」と呼んでいる。従って上記鍵は通常の遊技上においては「ハウスキー」である。一方、メーカー出荷時についている施錠装置の鍵は、「台鍵」、「本体キー」と呼ばれている。
【００４１】
＜２．役とペイアウト率の設定＞
スロットマシン１による遊技では、メダルの投入等によって有効にした入賞ラインＬ１〜Ｌ５に予め定められた図柄の組合せが揃うと、揃った図柄に対応した枚数のメダル払い出しが行われる。図柄の組合せは、遊技価値を与える「役」と無価値な「ハズレ」とに大別される。本実施形態の役として、複数種類の所定の役が定められている。これらの役は、遊技状態別に役毎にプレイヤーに付与される遊技価値が予め定められている。役には、１枚から１５枚の払い出しが付与される役、入賞による払い出しのあるなしにかかわらず後述するビッグボーナスやレギュラーボーナス等の有利な遊技状態が付与される役、払い出しはないがメダルを投入することなく再度、同数のメダル投入条件で遊技が行える再遊技を付与される役がある。
【００４２】
各種の役のうち、所定枚数のメダルの配当や再遊技が付与される等の比較的低い遊技価値に対応する役を総称して小役と呼ぶ。一方、所定の役が入賞すると、遊技状態がレギュラーボーナスと呼ばれる特定遊技状態に移行する。レギュラーボーナスでは、ジャックゲームを１２回行うことができ、レギュラーボーナス期間は、ジャックゲームを１２回行うか、最大８回入賞すると終了となる。ジャックゲームは、１枚のメダルをベットして中央の入賞ラインＬ１のみを有効にして行われる。ジャックゲームの役を構成する図柄が入賞ラインＬ１に揃うとスロットマシン１は１５枚のメダル払い出しを行う。レギュラーボーナスの遊技状態では通常の遊技状態にはないジャックゲームが行われるので、通常の遊技状態と比較してレギュラーボーナスの遊技状態はプレイヤーにとって有利な遊技状態であるといえる。
【００４３】
また、他の所定の役に入賞すると、遊技状態が通常の遊技状態からビッグボーナスと呼ばれる第２遊技状態に移行する。ビッグボーナス期間中は、レギュラーボーナスが最大３回分行えるのに加えて、小役を高当選確率状態での遊技を最大３０回成立させることが可能である。ビッグボーナスは、レギュラーボーナスと比較してより有利な遊技状態である。
【００４４】
スロットマシン１では、内部抽選を行い当選した役を構成する図柄が有効な入賞ラインＬ１〜Ｌ５上に揃うと入賞となる。内部抽選では、スタートレバーの操作タイミングで抽選を実行し、どの賞群に当選するかあるいはハズレとなるかを決定する。ここで、賞群とは、一または複数の役の集まりをいい、抽選の区分に対応している。つまり、賞群と役とが一対一に対応することもあれば、一つの賞群に複数の役が対応することもある。どの賞群にどのような確率で当選するかを規定しているのが賞群抽選テーブルである。通常プレイヤーにとり有利なものから不利なものへと６種類の賞群抽選テーブルが定められ、スロットマシン１の制御基板のＲＯＭに書き込まれている。従ってスロットマシン１に６種類の賞群抽選テーブルのうち、どの賞群抽選テーブルを適用するかにより、いわゆるペイアウト率を定めることができる。６種類の賞群テーブルにより定まる６段階のペイアウト率のいずれをスロットマシン１に適用するかについて、筐体内部にある設定装置を使用して適宜設定変更が可能である。
【００４５】
＜３．ペイアウト率設定装置＞
図２はスロットマシン１のフロントドア３を開いて筐体本体２の内部を示す斜視図である。図に示されているように、筐体本体２の内部は上中下段の３部分に分けられている。上段には、スロットマシン１全体の制御を司るＣＰＵや、ゲームの進行に必要なプログラム、データ、上記賞群抽選テーブル等のテーブル類を記憶したＲＯＭ、ＲＡＭなどからなる制御装置が格納され、改変が行われないように封印されている。中段には前述した左・中・右リールＲ１、Ｒ２、Ｒ３が配置されている。また下段にはメダルを貯留し払い戻すためのホッパー２２と電源装置を兼ねたペイアウト率設定装置３０（以下においては単に「設定装置３０」という。）が設けられている。
【００４６】
図３は、設定装置３０の外観を示す斜視図である。まず図３（ａ）を参照して、設定装置３０は、内部に電源装置を格納した設定ボックス４００を備える。設定ボックス４００の正面側には、上から設定切り替えボタン３１、開閉装置６００、ヒューズホルダ３３、及び主電源の「ＯＮ」、「ＯＦＦ」の切り替えを行うメインスイッチ３４が設けられている。開閉装置６００の正面側には開閉装置６００の施錠に預かる施錠装置の鍵穴５３が示されている。図３（ｂ）は、図３（ａ）において閉鎖されていた開閉装置６００が開かれた状態を示す図である。開閉装置６００は、設定ボックス４００に取り付けられた枠部３５と、枠部３５に回動可能に取り付けられた扉１００とを備えている。開閉装置６００には施錠装置５００が取り付けられており、この施錠装置５００を開錠することにより扉１００が開かれる。施錠装置５００の構成については次項において詳しく説明する。
【００４７】
開閉装置６００の内部には、設定切り替えボタン３１操作の有効／無効を切り替えるスイッチＳＷの操作部材３６が設定ボックス４００から筐体内に露出されている（ただし開閉装置６００が開放されている状態）。
【００４８】
スイッチＳＷはレバースイッチで構成されており、その操作部材３６は、スイッチを「ＯＦＦ」の状態から「ＯＮ」の状態とするためには、上方に押し上げられその位置に留まる。「ＯＦＦ」の状態とするためには、操作部材３６を「ＯＮ」の状態の位置から下方に押し下げる。押し下げられた操作部材３６は押し下げられた位置に留まる。
【００４９】
ペイアウト率の変更を行うには、まず施錠装置５００の施錠を解いて、扉１００を開放する。次いで、スイッチＳＷを「ＯＮ」としたままメインスイッチ３４を「ＯＮ」にする。そうすると遊技機１の前面にある表示部２５ｃに現時点の設定値が表示される。この状態にて設定切り替えボタン３１押圧すると、設定切り替えボタン３１を１回押圧するごとに６段階のペイアウト率が１ずつ切り替えられる。所定の設定段階にペイアウト率を切り替えた後は、スタートレバー６を
操作し、スイッチＳＷを「ＯＦＦ」にすることにより、設定されたペイアウト率が確定し、表示部２５ｃの表示は消灯される。その後、開閉装置６００を閉じて施錠装置５００により施錠を行う。
【００５０】
上記ペイアウト率の設定を行うためにスイッチＳＷを「ＯＮ」の状態にすると、補助表示部２０に現在設定されているペイアウト率に関する情報が表示される。従って、ペイアウト率を設定しようとするものは、補助表示部２０に表示される情報を手がかりとして、設定切り替えボタン３１を所定回数押圧することにより、スロットマシン１に所望のペイアウト率を設定することができる。補助表示部２０におけるペイアウト率に関する情報の表示は、スイッチＳＷを「ＯＦＦ」とすることにより非表示状態に切り替えられる。従ってスイッチＳＷを「ＯＦＦ」に切り替えるのを忘れて「ＯＮ」の状態にしたままにしておくと、プレイヤーが現在設定されているペイアウト率を知ることとなるので不都合である。スロットマシン１は、ＳＷが「ＯＮ」の状態ではゲームをすることが出来ないようにされてはいるが、一日のうちに複数回ペイアウト率の設定を変更することができないことも考えられるので、上記のような場合ペイアウト率を知ったプレイヤーにそのペイアウト率のままゲームをさせるか、あるいはそのゲーム機を使用できなくするかしかないからである。従って、ペイアウト率の設定作業の後、確実にＳＷを「ＯＦＦ」の状態にする必要がある。
【００５１】
また、本体２とフロントドア３とはハウスキーにより施錠されているとはいえ、ペイアウト率を設定する設定切り替えボタン３１は、筐体内に露出しているので、この設定切り替えボタン３１の操作を有効化するスイッチＳＷには不正行為の介入が及ばないよう、施錠装置５００に厳重な構造及び管理が要求される。
【００５２】
さらに設定ボックス４００内に直接不正行為の手が及ばないような設定ボックス４００の構造にすることも重要である。
【００５３】
図４は、設定ボックス４００の分解斜視図である。図の上部には開閉装置６００の扉１００、及び扉１００に取り付けられる錠５５０を示すものであるがこれらについては図５の説明の項において詳しく述べる。
【００５４】
図の下部には設定ボックス４００の筐体、開閉装置６００の枠部３５、及びスイッチＳＷ等が示されている。なお、電源装置の図示は省略されている。設定ボックス４００の筐体は、３面を有する門型枠４０２と、左側面及び底面をカバーする断面「Ｌ」字状のＬ字部材４０３、及び四辺形平板状の右側面板４０１とを備えている。門型枠４０２は、正面部４０２ａ、上面部４０２ｂ、及び奥側部４０２ｃを備えている。Ｌ字部材４０３は、左側面板４０３ａと底面板４０３ｂとを備えている。左側面板４０３ａの高さは、門型枠４０２の高さ、すなわち正面部４０２ａ、奥側部４０２ｃの高さより高く形成されており、設定ボックス４００の上方に突出している。その突出部分には孔４１２が設けられている。
【００５５】
Ｌ字部材４０３の底面板４０３ｂも門型枠４０２の幅より長く右側面側に設定ボックス４００の外部に突出するよう形成されている。この突出部分にも孔４１０が設けられており、止めねじ、あるいはリベット等公知の固定手段が差し入れられてＬ字板４０３がスロットマシン１の筐体に固定される。底面板４０３ｂの２箇所、及び上面部４０２ｂの２箇所に右側面板４０１に接触するよう耳部が形成されている。これら４箇所の耳部にはそれぞれに孔４０５ｂ、４０６ｂ、４０７ｂ、４０８ｂが形成されている。一方右側面板４０１の四隅にもこれらの孔に対応する位置に孔４０５ａ、４０６ａ、４０７ａ、４０８ａが形成されている。これら各対応する孔に止めねじが差し入れられて、右側面板４０１がＬ字部材４０３及び門型枠４０２に固定される。さらに右側面板４０１の正面側寄りには第５の孔４０９が設けられている。
【００５６】
門型枠４０２の正面部４０２ａには開閉装置６００の枠部３５が、上下各２箇所ずつ計４箇所でリベット止めされている。さらに枠部３５には、右側面板４０１に沿って奥側に延設された耳部３５ｃが設けられ、耳部３５ｃには小孔３５ｄが形成されている。正面板４０１の孔４０９と小孔３５ｄとは配置が一致されており、これらの孔に留めねじが差し入れられて、正面板４０１が枠部３５に固定される。枠部３５は上記したように門型枠４０２にリベット止めされているので、右側面板４０１は結果的には門型枠４０２に固定されることになる。
【００５７】
正面部４０２ａが枠部３５に囲まれている部分には４角形の穴４２０とこの穴４２０の上下に小孔４２１ａ、４２１ｂと（いずれも不図示）が設けられている。スイッチＳＷは、上下に小孔３９ａ´、３９ｂ´が設けられた小型平板３８と、小型平板３８に取り付けられたスイッチ操作部材３６と、スイッチコネクタ３７とを備えている。この小型平板３８は正面部４０２ａの裏面側に接触する。このとき門型枠４０２の正面に形成された穴４２０の上下の小孔４２１ａ、４２１ｂに小型平板３８の小孔３９ａ´、３９ｂ´が位置合わせされ、スイッチ操作部材３６が穴４２０から枠部３５内の正面側に露出される。そして各孔に留めねじ３９ａ、３９ｂが差し入れられて、小型平板３８が門型枠４０２の正面部４０２ａに取り付けられて、スイッチＳＷが設定ボックス４００に固定される。
【００５８】
＜４．施錠装置＞
図５は、施錠装置５００の錠５５０を構成する各部品をその錠５５０を取り付けるべき扉１００とともに示す分解斜視図である。図において、紙面右上奥側が扉１００によって閉鎖される内部側、紙面左下手前側が外部側すなわちスロットマシン１の正面側を示す。また以下の説明においても外部側（スロットマシン１の正面側）からの視点を基準に正面、側面、及び裏面を定めるものとする。また扉から外部方向を手前側、内部方向を奥側と呼び、各部材の説明においても各部材が錠として組み立てられた姿勢を基準に、上記手前側、及び奥側を定める。
【００５９】
図５に示されるように、錠５５０は、シリンダ５０と、シリンダ５０を挿入すべき孔が底面に設けられた外筒２００と、シリンダ５０及び外筒２００を扉１００に固定するナット７０と、外筒２００内に嵌めこまれるべき内筒３００と、外筒２００内に配置されて内筒３００を扉１００から離隔する方向（奥側）に押圧するコイルばね８０と、シリンダ５０の先端に止めねじ９０により取り付けられる舌状部材６０とを備えている。ここに「舌状部材」とは、シリンダに取り付けられて、回転子の回転面外周方向に延設された、棒状又は平板状の部材をいい、いわゆる「タング」や「デッドボルト」を含む概念である。
【００６０】
本実施形態のスロットマシン１においては、外筒２００と内筒３００とはＰＯＭ（ポリオキシメチレン）のような比較的硬さと靱性の高いエンジニアリングプラスチックにて形成され、その他の部材は鋼、銅合金等の金属で形成されている。
【００６１】
さらに図５を参照しつつ説明を続ける。扉１００は、正面に向けて配置された正面板１０１と、正面板１０１の両側部に正面板１０１に直交する方向（奥側）に延設された側面板１０２ａ、１０２ｂとを備えている。側面版１０２ａには、一旦正面板１０１と平行に折り返された後さらに奥側方向に折り返されて延設された遮蔽板１０２ｃが形成されている。
【００６２】
正面板１０１の中央にはシリンダ５０の外筒の断面形状（円形の両側部が切り欠かれ直線状をなしている。）よりやや大きな形状に形成された開口１０３が設けられている。開口１０３を挟んでその左右には一対の貫通孔１０４ａ、１０４ｂが設けられている。貫通孔１０４ａ、１０４ｂには、外筒２００の底面に設けられた一対の凸部が扉１００の奥側から嵌め入れられる。なお、扉に凸部、外筒に凹部を設けてもよい。このように構成した場合、扉に設けた貫通穴から外筒の樹脂に対する熱的イタズラを防止することができる。詳しくは外筒２００に関する項において説明する。側面板１０２ａ、１０２ｂの下部にはそれぞれ一つの貫通孔１０５ａ、１０５ｂ（貫通孔１０５ｂは図面に表されていない。）が設けられている。この一対の貫通孔１０５ａ、１０５ｂにリベット１０６ａ、１０６ｂ（リベット１０６ｂは図面に表されていない。）が差し込まれ、扉１００は枠部３５（図４参照）に回動自在にリベット止めされる。シリンダ５０の一端側（手前側）には鍔状の止め部５１が設けられており、扉１００に外部側から差し入れられたシリンダ５０は、止め部５１が扉１００の正面に接触することにより位置決めされる。
【００６３】
図６は、外筒２００の（ａ）は裏面図、（ｂ）は一部を破断した側面図、（ｃ）は正面図である。また、図７において、（ａ）は図６（ｂ）におけるＶＩＩａ−ＶＩＩａ線断面図、（ｂ）は図６（ａ）におけるＶＩＩｂ−ＶＩＩｂ線断面図、（ｃ）は図６（ａ）におけるＶＩＩｃ−ＶＩＩｃ線断面図である。これらの図を参照しつつ以下に外筒２００の構成について説明する。
【００６４】
外筒２００は全体として略臼形状をなしており、底面２０１と筒状の側面とを備え、底面２０１と対向する側の端面には、全面が開口された開口部２０１´が形成されている。底面２０１の中央には扉１００に設けられた開口１０３と同一形状の開口２０３が形成されている。開口２０３の周囲には開口２０３の強度を補強するため及び、ナットで固定する際にナットを回す回数を少なくするためのリブ２０４が設けられている。一方開口２０３の両側には一対の凸部２０２ａ、２０２ｂが設けられている（図６（ｃ）参照）。一対の凸部２０２ａ、２０２ｂは、扉１００に設けられた一対の貫通孔１０４ａ、１０４ｂ（図５参照）に嵌合すべき形状及び位置に形成されている。外筒２００の筒状部内周面には、等間隔に（軸心から径方向に１２０°の角度毎に）３本の溝２０５ａ、２０５ｂ、２０５ｃが形成されている。溝２０５ａ、２０５ｂ、２０５ｃは外筒２００の円筒の軸心に平行に形成されている。溝２０５ａ、２０５ｂ、２０５ｃは、内筒３００の外周面に等間隔に形成された３本の突片とはまりあって、内筒３００を外筒２００の内周面内に軸心方向に往復移動可能とする役割を有するものである。ここに「突片」とは、凸状に形成された条をいい、「リッジ」といわれることもある。これについても後に詳しく説明する。外筒２００の底面２０１近傍には上記軸心に平行に２本のスリット２０６ａ、２０６ｂが軸心を挟んで対向する位置に形成されている。スリット２０６ａ、２０６ｂは、内筒３００に形成された爪部と協働して内筒３００の移動範囲を規制する。これら外筒２００と内筒３００との相互の関係についても後に詳しく述べる。
【００６５】
一方外筒２００の開口部２０１´近傍には周方向にスリット２０７が形成されている（図７（ｂ）参照）。また、スリット２０７が形成されていない周部の開口側には切欠き部２０８が形成されている。なお、本明細書において「切り欠き」というときは、製造工程において実際に切り欠いて形成されるもの、及び、射出成型等の方法により一体に形成されるがあたかもその部分が切り欠いて形成されたように見えるものの双方を含む概念である。
【００６６】
図８及び図９は内筒３００を示している。図８において、（ａ）は裏面図、（ｂ）は側面図、（ｃ）は正面図、（ｄ）は（ａ）に対して図で表された方向の側面図、（ｅ）は他の角度から見た側面図である。また、図９において、（ａ）は図８（ａ）におけるＩＸａ−ＩＸａ線断面図、（ｂ）は図８（ａ）におけるＩＸｂ−ＩＸｂ線断面図、（ｃ）は図８（ｂ）におけるＩＸｃ−ＩＸｃ線断面図である。これらの図８及び図９を参照しつつ内筒３００につき以下に説明する。
【００６７】
内筒３００は、手前側（扉側）の端面に開口３０２を、他の端面にも開口３０３を備えた筒状部３０１を有している（図８（ｄ）参照）。筒状部３０１の外周には等間隔に（筒状部軸心から径方向に１２０°の角度毎に）３本の突片３０４ａ、３０４ｂ、３０４ｃが形成されている。突片３０４ａ、３０４ｂ、３０４ｃは筒状部３０１の軸心に平行に形成されている。これらの突片３０４ａ、３０４ｂ、３０４ｃは、外筒２００の内周面に等間隔に形成された３本の溝２０５ａ、２０５ｂ、２０５ｃとはまりあって、内筒３００を外筒２００の内周面内に軸心方向に往復移動可能としている。
【００６８】
さらに筒状部３０１には、軸心と平行に軸心方向略中央部から手前側（扉１００側）に向けて一対のリード部３０５ａ、３０５ｂが設けられている。各リード部３０５ａ、３０５ｂは、それぞれ筒状部３０１の軸心方向略中央部から手前側（扉１００側）に向けて軸心に平行で、手前側（扉１００側）に開口する一対のスリットを形成することにより形成されている。なおリード部３０５ａ、３０５ｂの肉厚は筒状部３０１の肉厚より薄くされており、合成樹脂材料にて形成されていることと相俟って、リード部自由端側は、径方向の押圧力により容易に弾性変形される。リード部自由端先端部には爪部３０６ａ、３０６ｂが設けられている。爪部３０６ａ、３０６ｂは、筒状部３０１の外周面を含む円筒形の外方に一部が突出している。この突出部は、開口３０２側（手前側）の端面から奥側外方に向けて傾斜し、突出の終了部にて軸心方向に切り戻され、いわゆる「返し」を形成している。これら一対のリード部３０５ａ、３０５ｂの爪部３０６ａ、３０６ｂは、外筒２００に形成された２本のスリット２０６ａ、２０６ｂに組み合され、返しがスリット２０６ａ、２０６ｂの先端に接触することにより、それ以上奥側への内筒３００の移動が規制される。
【００６９】
またさらに、筒状部３０１の内周において軸心方向中央からやや手前側（扉１００側）寄りには、内周面から同心円状に軸心方向に延出される隔壁３０７が設けられている。隔壁３０７の中心部には筒状部３０１の円形断面と中心点を共有する中央開口３０８が設けられている。中央開口３０８の径の大きさはシリンダ５０を貫通し得る程度に大きく、かつコイルばね８０を止めることができる程度に小さく設定されている。
【００７０】
隔壁３０７には奥側に止め部３０９、３１０が設けられている。この止め部３０９、３１０は所定条件の下、舌状部材６０の回転を止めるためのものである。これについても後に詳しく説明する。
【００７１】
さらに筒状部３０１には、周方向に窓３１１が設けられている。窓３１１の周方向の長さは周長の３分の１程度である。従って、３つある突片のうちひとつの突片３０４ｂは窓３１１により手前側と奥側とに分断されている（図８（ｅ）参照）。窓３１１の周方向一端側は止め部３１０に略一致されている（図８（ｅ）参照）。また窓３１１の軸心方向長さは円筒部３０１全体の３分の１程度であり、この一端側は隔壁３０７に一致されている（図９（ｂ）参照）。さらに、筒状部３０１には、外筒２００と同様に奥側に開口するに切欠き部３１２が形成されている。
【００７２】
図１０（ａ）〜（ｃ）は、シリンダ５０と、シリンダ５０に止めねじ９０にて取り付けられた舌状部材６０とを示す（ａ）は正面図、（ｂ）は側面図、（ｃ）は裏面図である。また図１０（ｄ）は、錠５５０の開閉を行うためシリンダ５０と組み合わされて使用される鍵４０の側面図である。ここではまずシリンダ５０について図１０（ａ）及び（ｂ）を参照して説明する。シリンダ５０は手前側から、扉１００の正面に接触するべき止め部５１と、外筒部５６とを備えている。止め部５１は、鍔状に形成され一面側が扉１００の正面板１０１に接触する止め板５２を備え、止め板５２の中央部には鍵穴５３が設けられている。鍵穴５３の上部（図１０（ａ）においては右側）には切り欠き５３ａが設けられている。また、止め板５２の鍵穴５３内周側には６個の凸部５４ａ〜５４ｆが形成されている。外筒部５６の内部には外筒部５６より僅かに長さが長いプラグ５５が、格納されている。プラグ５５は、不図示の弾性部材により手前側に押圧されており、その手前側外周部端面は止め板５２に接触している。プラグ５５の奥側端部は外筒部５６の奥側に僅かに突出しており、その突出部分を舌状部材６０の孔６３（図１１（ａ）参照）に差し入れて、止めねじ９０により舌状部材６０がプラグ５５に固定される。シリンダ５０の外筒部５６は、対向する一対の平面部５７、５７とねじ結合部５８と円筒部５９とを有している。ねじ結合部５８の外周面には所定の雄ねじ形状が切られている。
【００７３】
図１０（ｃ）を参照して、舌状部材６０は、先端６２と先端６２とは反対側に形成された止め端部６１とを有している。なお、図１０（ａ）では開錠状態の舌状部材６０と、施錠状態の舌状部材６０´とが同時に表されており、施錠状態の舌状部材各部の符号にはダッシュ（´）が付されて、開錠状態の各部と区別されている。
【００７４】
図１０（ｄ）は、錠５５０の開閉を行うための鍵４０を示す図である。鍵４０は、使用者が鍵４０を操作する際の手がかりとなる摘み部４１と、錠５５０の内部に差し入れられる挿入筒４２とを備えている。挿入筒４２の先端には突起４３が設けられている。また図では一点鎖線で示されるように挿入筒４２の先端内面側にも突起４３に対応して突起４３ｉが設けられている。
【００７５】
次にこの鍵４０を使用して錠５５０を操作する方法について説明する。まず鍵４０の突起４３の位置を鍵穴５３の切り欠き５３ａの位置に合わせシリンダ５０内に挿入する。この状態においては、鍵４０の挿入筒４２先端はプラグ５５の手前側端面に接触する。このとき鍵４０を回そうとしても挿入筒４２内面側に設けられた突起４３ｉが止め板５２の鍵穴５３内周側に設けられた６個の凸部５４ａ〜５４ｆに止められ、それ以上の回転は規制される。一方鍵４０を奥方向に押し込むと、鍵４０の挿入筒４２先端もさらに奥に進入するので、凸部５４ａ〜５４ｆにより突起４３ｉが止められている状態が解かれ、鍵４０は鍵穴５３内を自由に回転可能となる。なお、プラグ５５の手前側先端の中心部は鍵穴５３の手前側面まで延出されている。この延出部は鍵穴５３に鍵４０の挿入筒４２を差し込むことができる程度に他の部分より径が小さくされている。またその延出部先端面は止め板５２の先端側面と略面一に形成されている。さらに施錠位置において鍵穴５３の切り欠き５３ａと対応する位置には、切り欠き５５ｉが設けられている。この切り欠き５５ｉは鍵４０の内面側突起４３ｉとはめあわされて、鍵４０の回転が確実にプラグ５５に伝えられる。このようにして、鍵４０の回転によりプラグ５５も回転され、プラグ５５の奥側先端に取り付けられた舌状部材６０がプラグ５５の軸心の周りに回転される。
【００７６】
一方、鍵穴５３の切り欠き５３ａは図に示されているとおり一箇所だけにあるので、鍵４０の突起４３をこの位置に合わせない限り鍵穴５３内に挿入された鍵４０を抜き取ることはできない。すなわち、鍵４０は挿入位置（すなわち施錠位置）以外の角度では鍵穴５３から抜き取ることはできない。
【００７７】
次に、以上に説明した各部材により錠５５０を組み立てる方法について説明する。まず、外筒２００の２つの凸部２０２ａ、２０２ｂを扉１００の一対の貫通孔１０４ａ、１０４ｂに位置合わせをして差し入れる。この時、凸部２０２ａ、２０２ｂとそれに対応する貫通孔１０４ａ、１０４ｂの位置関係を中心から等距離でない位置に配置する事により、位置関係は一意に決せられ、組み立ての間違えがない。この状態において、外筒２００の底面２０１は、扉１００の奥側の面に接触する。また扉１００に設けられた開口１０３は、外筒底面２０１の開口２０３と一致して、手前側から奥側に通じる通路を形成する。次にシリンダ５０をこの通路の形状に合わせて、止め板５２が扉１００の正面板１０１に接触するまで差し入れる。ナット７０の内周面にはシリンダ５０の外筒部５６にあるねじ結合部５８の雄ねじ形状にねじ結合する雌ねじが切られている。このナット７０をシリンダ７０のねじ結合部５８にねじ結合され、ナット７０の手前側面を外筒２００の開口２０３を覆うリブ２０４の奥側面に接触させて締め付ける。このようにして、ナット７０により外筒２００とシリンダ５０とが扉１００に固定される。
【００７８】
次にコイルばね８０を外筒２００の内部に差し入れる。コイルばね８０のコイル径は内筒３００の内周部に隙間無く挿入できる程度に形成されているので、外筒２００の内部にはゆとりを持って差し入れることができる。この状態においてはコイルばね８０の内周側にシリンダ５０が配置されている。
【００７９】
次に内筒３００を、外筒２００内に挿入する。このとき内筒３００の手前側（リード部３０５ａ、３０５ｂの自由端側）を扉１００側に向けて挿入する。外筒２００の内周面に形成された溝２０５ａ〜２０５ｃと、内筒３００の外周面に形成された突片３０４ａ〜３０４ｃとの関係では、各溝と突片は円を３分割する位置に配置されているので３通りの組み合わせが考えられる。一方、外筒２００のスリット２０６ａ、２０６ｂと内筒３００のリード部３０５ａ、３０５ｂとの関係では、両者は各円筒上の対向する２ヶ所に設けられている。また、溝／突片とスリット／リード部とは円筒円周上の異なる位置に配置されている。したがって、外筒２００と内筒３００との位置関係は一意に決せられ、具体的には、外筒２００の溝２０５ａ、２０５ｂ、２０５ｃに対して、それぞれ内筒３００の突片３０４ｃ、３０４ａ、３０４ｂが対応されるように内筒３００を外筒２００内に挿入する。この際に内筒３００の爪部３０６ａ、３０６ｂは、外筒２００の内周面より外方に突出しているが、前述したように内筒３００は合成樹脂にて形成されており、リード部３０５ａ、３０５ｂの肉厚は薄くされているので、リード部を内周側に弾性変形させて、内筒３００を外筒２００の内部へ容易に押し込むことができる。
【００８０】
内筒３００を外筒２００内部へ深く押し込むと、開口３０２側端面が外筒２００の底面２０１に接触し、リード部３０５ａ、３０５ｂの爪部３０６ａ、３０６ｂは、外筒２００のスリット２０６ａ、２０６ｂ内におさまり、押し込み中にリード部にあった弾性変形は解消される。この状態においては、外筒２００の溝２０５ａ、２０５ｂ、２０５ｃと、内筒３００の突片３０４ｃ、３０４ａ、３０４ｂとの協働により、内筒３００は外筒２００の内周面上を軸心方向に往復移動可能とされている。一方、上記押し付けによりコイルばね８０は、内筒３００の隔壁３０７と外筒２００の底面２０１との間で圧縮されている。したがって押し付けを開放すると、コイルばね８０の伸長方向の弾性が内筒３００に働いて、内筒３００は外筒２００内で軸心方向奥側に押し戻される。そして爪部３０６ａ、３０６ｂの返しがスリット２０６ａ、２０６ｂの奥側の先端に接触して、内筒３００の奥方向への移動は停止される。内筒３００はこの停止位置から手前（扉１００）方向への押圧を受けることにより、コイルばね８０の弾性に抗して開口３０２側端面が外筒２００の底面２０１に接触するまで軸心方向に平行に移動されることが可能である。さらにコイルばね８０の弾性によりその逆方向の移動も可能とされている。
【００８１】
この状態において内筒３００の窓３１１と外筒２００のスリット２０７、及び内筒３００の切り欠き部３１２と、外筒２００の切り欠き部２０８とは、周方向両端が一致している。また、内筒３００の窓３１１に関して、コイルばね８０の伸長状態においては、その手前側端面が外筒２００のスリット２０７の手前側端面と面一となる。一方、コイルばね８０の圧縮状態においては、その奥側端面が外筒２００のスリット２０７の奥側端面と面一となる。すなわち窓３１１の軸心方向の長さは、外筒２００にあるスリット２０７の軸心方向長さより、内筒３００が外筒２００内で軸心方向に往復動可能な距離の分だけ長い。したがって内筒３００が軸心方向に往復動しても、外筒２００のスリットから軸心方向に至る仮想線は、常に内筒３００により遮られることがない。
【００８２】
内筒３００を外筒２００内に収めた後は、舌状部材６０をシリンダ５０のプラグ５５の奥側先端に止めねじ９０にて固定する。このとき舌状部材６０の先端６２は、内筒３００の窓３１１、及び外筒２００のスリット２０７を貫通して外方に突出している。このようにして錠５５０を組み立てることができる。
【００８３】
図１１は、舌状部材６０と内筒３００の動きを裏面側の視点から示す斜視図である。（ａ）はプラグ５５（図１１では不図示）の軸心Ｘを回転軸として回転される舌状部材６０を表している。図１１（ａ）は舌状部材６０の施錠状態における姿勢を示しており、この位置から図の矢印方向に先端６２が回転されて施錠が解かれ開錠される。なお、符号６３で示される部分はプラグ５５の先端が差し入れられる舌状部材６０に形成された孔である。孔６３の形状及びそこに差し入れられるプラグ５５先端の断面形状をこのように円形以外の形状にすることにより、舌状部材６０に対するプラグ５５の空転を防止することができる。
【００８４】
図１１（ｂ）における矢印は内筒３００の動きの方向を示すものである。図の上方への動きはコイルばね８０の弾性によりもたらされ、下方への動きは外部からの押圧力によりもたらされる。なお、図１１（ｂ）ではよりよい理解を得るために、筒状部３０１の一部（図で窓３１１の上方）を破断して、隔壁３０７、及び、止め部３０９、３１０が顕になるように図示が行われている（図１２についても同様）。
【００８５】
図１２は、内筒３００と舌状部材６０との配置の関係を示し、図の下方が手前（扉１００）側にあたるものである。図１２（ａ）は開錠位置の配置、（ｂ）は開錠位置から施錠位置方向にキー操作したが、途中で舌状部材６０が内筒３００の止め部３０９、３１０に止められている状態の配置、（ｃ）は施錠位置の配置を示す斜視図である。図１２（ａ）の開錠状態においては、内筒３００はコイルばね８０により軸心Ｘの奥方向（図の上方）への押圧を受けて、最も奥側（図の上方）の位置に配置された状態にある。
【００８６】
まず、図１２（ａ）における状態から鍵４０の突起４３を鍵穴５３の切り欠き５３ａに位置合わせして、鍵４０を鍵穴５３に挿入後、奥側に押圧しつつ裏面から見る時計回り方向に回転させると、鍵４０の回転によりプラグ５５及びその奥側先端に取り付けられた舌状部材６０も時計回りに回転される。そして舌状部材６０が図１２（ｂ）の位置まで回転されると、舌状部材の止め端部６１は内筒３００の止め部３０９に、舌状部材６０の側面が内筒３００の止め部３１０にそれぞれ接触して、それ以上の舌状部材６０の時計回り方向への回転は規制される。すなわち内筒３００がコイルばね８０により押圧されて奥側に配置されているときは、舌状部材６０との位置的重なり合いが発生して、舌状部材６０の所定以上の回転が規制される。
【００８７】
一方、コイルばね８０により、図の上方に押圧されている内筒３００を、外力により上記押圧力に抗して下方に押し込むと、内筒３００の隔壁３０７上に設けられている止め部３０９、３１０は、舌状部材６０の下面よりさらに下方に沈み込み、舌状部材６０と、止め部３０９、３１０との位置的重なり合いは起こりえない状態となる。したがって、舌状部材６０は施錠位置まで回転されることができる（図１２（ｃ）参照）。
【００８８】
図１３において、（ａ）は内筒３００と舌状部材６０との動きを模式的に示す図、（ｂ）は開閉装置６００に取り付けられた施錠装置５００を示す断面図である。
【００８９】
図１３（ａ）において、内筒３００は横向きの矢印で示される方向に往復動される。すなわち外力により押圧されて、扉側に押し付けられた状態が実線で示され、コイルばね８０により奥側に押圧されている状態が鎖線で示されている。鎖線で示されている図に対応する符号にはダッシュ（´）が付されている。舌状部材６０は、縦方向の矢印で示される方向に回転運動される。すなわち鍵４０により開錠操作が行われると舌状部材６０は矢印最下端に相当する位置まで回転される。このとき内筒３００には外部から押圧力がかかっていないので、図において鎖線で示されている位置を取っている。この状態で、鍵４０を施錠位置方向に回すと舌状部材６０は止め部３０９´と位置的重なり合いを生じ、両者が接触した位置にて、それ以上の舌状部材６０の施錠位置方向への回転は規制される。
【００９０】
この状態において、内筒３００の奥側（図の右側）端部が、設定ボックス４００の正面部４０２ａにて手前側（図の左方向）に押圧されると、コイルばね８０が内筒３００の隔壁３０７に圧縮されて、内筒３００全体が手前側に移動される。その結果止め部３０９´と舌状部材６０との位置的重なり合いは解消して止められている状態が解かれるので、舌状部材６０は、施錠位置まで（図の矢印上端部まで）回転されることができる。かくして鍵４０の突起４３が、鍵穴５３の切り欠き５３ａの位置まで戻され、鍵４０を鍵穴５３から抜き取ることが可能となる。このように施錠されない限り鍵を抜き取ることができないので、かぎのかけ忘れが防止される。
【００９１】
図１３（ｂ）は開閉装置６００に取り付けられた施錠装置５００を示す断面図である。開閉装置６００は、設定ボックス４００の正面部４０２ａ取り付けられた枠部３５（図では断面としての上部枠部３５ａと、下部枠部３５ｂとが表されている。）下部枠部３５ｂに回動可能に取り付けられた扉１００とを備える。なお、上部枠部３５ａの内面側には、舌状部材６０の先端６２を受け入れることができる受け座６０３が形成されている。錠５５０は扉１００に取り付けられている。錠５５０と受け座６０３とにより施錠装置５００が構成される。図１３（ｂ）は、内筒３００の奥側（図の右側）先端が設定ボックス４００の正面部４０２ａにより押圧を受けている状態を表しており、舌状部材６０が受け座６０３内に配置されている。すなわちこの状態では施錠が行われており、錠５５０から鍵４０を抜き取ることができる。なお、実際には、上記押圧は設定ボックス４００の正面部４０２ａが内筒３００側に移動して行われるのではなく、不動の設定ボックス４００の正面部４０２ａに固定された下部枠部３５ｂに回動可能に取り付けられた扉１００が正面部４０２ａ側に近接してゆき、最終的には扉１００が閉鎖されることにより達成される。
【００９２】
このように、スロットマシン１のペイアウト率を設定可能とするスイッチＳＷの操作部３５を覆い隠す開閉装置６００に設けた施錠装置５００が施錠されない限りは鍵４０を抜き取ることができないので、施錠のし忘れを防止することができる。
【００９３】
図１４は、正面部４０２ａと扉１００との間の距離が比較的長い場合の構成を示す図であり、（ａ）は施錠、（ｂ）は開錠の状態を示している。このような場合、錠５５０の内筒３００を長くしても良いが、１モデルの錠５５０を多くの場合に適用するには、正面部４０２ａに例えば凸部６１０ａ、６１０ｂを設けて、凸部６１０ａ、６１０ｂの先端を内筒３００の奥側先端に接触させるようにしてもよい。
【００９４】
図１５は、施錠装置５００の受け座６０３を透視して示す図である。受け座６０３には舌状部材６０の先端６２を受け入れる開口６２０が形成されている。開口６２０の奥側縁部６２１は舌状部材６０の回転面に沿った直線状に形成されている。一方、開口６２０の手前側縁部６２２は先端６２の施錠側への移動に伴いやや奥側に寄せられるように形成されている。プラグ５５先端に取り付けられている舌状部材６０の先端６２が受け座の開口６２０の手前側縁部６２２側に接触するように組み立て時の配置が行われる。このように構成した場合、鍵４０による押し付け操作により、開錠位置から施錠位置への回転に伴い舌状部材６０は、内筒３００が扉側へ押し込まれるのとは反対側に移動されるので、開錠時に両者の間で発生していた位置的重なり合い状態を確実に解消することができる。
【００９５】
＜５．その他の不正行為防止装置＞
図１６は、図１５の施錠装置５００を設定ボックス４００に取り付けた状態を示す図である。（ａ）は施錠状態を示し、（ｂ）は開錠状態を示している。設定ボックス４００においては、門型枠４０２及びＬ字部材４０３に右側面板４０１が５箇所に設けられた孔４０５ａ、４０６ａ、４０７ａ、４０８ａ、および４０９に差し入れられた留めねじにより固定されている（図４参照）。これらのうち、孔４０９に差し入れられた留めねじ４０９ａは、図１６（ａ）からも明らかなように、施錠状態においては、扉１００に設けられた遮蔽板１０２ｃが留めねじ４０９ａを隠蔽するので、右側面板４０１を取り外して、設定ボックス４００内を不正に操作しようとする行為を防止することができる。しかも留めねじ４０９ａは開錠状態では上記遮蔽が解かれて筐体内に露出されるので、修理改修にはなんら不都合は生じない。なお、設定ボックス４００をスロットマシン１の筐体に取り付けているねじ（例えば図４の符号４１２であらわされる孔に差し入れられるねじ）を覆うように新たな遮蔽板を扉１００に設けても良い。
【００９６】
図１７は、施錠装置５００のシリンダ５０と、スイッチＳＷの操作部材３６との位置関係の一例を示す図である。なおこの図では、外筒２００及び内筒３００が省略されて表されている。前記したようにこのスイッチＳＷはレバースイッチとして構成されており、スイッチ「ＯＦＦ」の状態から「ＯＮ」の状態とするには、レバースイッチ操作部材３６を上方へ押し上げる。スイッチ「ＯＮ」の状態から「ＯＦＦ」の状態とするには、レバースイッチ操作部材３６を下方へ押し下げる。図１７（ａ）は、「ＯＦＦ」の状態の操作部材３６の姿勢を示しており、この状態においてはスイッチ３６とシリンダ５０との位置的重なり合いは生じていない。
【００９７】
図１７（ｂ）は、「ＯＮ」の状態の操作部材３６の姿勢を示しており、この状態においてはスイッチ３６とシリンダ５０とは位置的重なり合いが生じるため、扉１００を閉鎖することができない。すなわちペイアウト率が設定可能な状態では扉１００を閉鎖することができないので、鍵４０を施錠装置５００から抜き取ることができない。従って、スイッチＳＷを「ＯＮ」のまま放置してしまうような状況が回避される。
【００９８】
以上のような構成によりスイッチを「ＯＮ」のままに放置してしまうような状況が回避されるが、遊技機１の筐体フロントドア３と扉１００との位置的関係を利用して、スイッチを「ＯＮ」のままに放置してしまうような状況を回避することもできる。以下にそのような構成に関する例につき説明する。
【００９９】
図１８は、フロントドア３及びその施錠装置、並びに筐体本体２内の設定装置３０を示す斜視図である。フロントドアの施錠装置７００（施錠装置７００としては図示されていない。）は、フロントドア前面側に、フロントドア錠挿入部１３が設けられ（必要なら図１参照）、そこからからハウスキーを差し入れて、開錠をすることができる。施錠装置７００の構造について図２１（ａ−１）により説明する。施錠装置７００は、ハウスキーの操作により下方に移動される作用板７１０と作用板７１０に連続して上方、及び下方に延設される上部アーム７０２及び下部アーム７０５と、上部アーム７０２の上端の連結部材７０７に回動自由に取り付けられた爪部７０１と、下部アーム７０５の下端の連結部材７１１に回動自由に取り付けられた爪部７０６とを備えている。また爪部７０１と７０６とは、施錠装置のベースとなる部材への支点７０８及び７１２を有し、爪部７０１と７０６とはこれら支点７０８及び７１２の周りにも回動自由に取り付けられている。したがって、各アーム７０２、７０５と爪部７０１、７０６とはリンク機構を形成し、連結部材７０７、及び７１１は、ハウスキーで開錠する動作時は、爪部７０１、７０６に対して力点になり、フロントドア３を閉める動作時は作用点となる。
【０１００】
一方筐体本体２の各爪部７０１、７０６に対応する位置には爪受け部７０３、７０４が取り付けられている。フロントドア３が「閉」の状態においては、各爪部７０１、７０６の返しが爪受け部７０３、７０４に止められて、フロントドア３と筐体本体２との施錠が確保される。
【０１０１】
フロントドア３を開放するには、フロントドア錠挿入部１３にハウスキーを差し入れて所定方向に回動させる。そうすると、上下のアーム７０２、７０５が下方に移動され、上記リンク機構の作用により爪部７０１、７０６が支点７０８、７１２を軸に回転されることにより、爪部７０１、７０６の返しが爪受け部７０３、７０４からはずれて、フロントドア３が開放される。
【０１０２】
また、フロントドア３の「開」状態から「閉」とするには、フロントドア３を手動にて本体２側に押し込めばよい。そうすると、爪部７０１、７０６の下端が爪受け部７０３、７０４上を（図の左方向へ）スライドして行き閉鎖位置において爪部７０１、７０６の返しが爪受け部７０３、７０４にはまり込み、筐体本体２とフロントドア３との施錠がなされる（図２１（ａ−１）〜（ａ−３）参照）。
【０１０３】
図１９は、（ａ）は扉１００が閉じられていて、フロントドア３が筐体本体２に対して「閉」におさまることができる状態、（ｂ）は、扉１００が開かれていて、フロントドアの一部に位置的に重なり合いを生じている状態を示す概略平面図である。この（ｂ）の状態においては、フロントドア３を筐体本体２側に押し込んで、フロントドア３の施錠をはかろうとしても、扉１００がフロントドア３に衝突してそれ以上押し込む事はできないのでフロントドア３の施錠ができない。従って、扉１００が開放状態ではフロントドア３の施錠ができず、これによって、設定スイッチＳＷが「ＯＮ」の状態に放置されるのを防止することができる。
【０１０４】
図２０は、扉がフロントドアの一部に位置的に重なり合いを生じている他の一例を示す概略斜視図である。この場合には設定装置３０が筐体内部に向かって右側に配置されている。このような配置であっても、扉１００が開放状態にあると、扉１００がちょうどフロントドア３と筐体本体２との間に挟まる状態となって、フロントドア３の施錠ができず、これによって、設定スイッチＳＷが「ＯＮ」の状態に放置されるのを防止することができる。
【０１０５】
図２１は、扉がフロントドアの一部に位置的に重なり合いを生じているさらに他の一例を示す概略図である。先に説明したように、図の（ａ−１）〜（ａ−３）は、フロントドア３の開錠／施錠が行われる状態を示しており、この場合においては、扉１００は閉鎖されている。
【０１０６】
これに対して、図の（ｂ−１）〜（ｂ−２）においては、扉１００は開放された状態にあり、この状態では、フロントドア３を閉鎖しようとすると、フロントドアを閉める動作で作用板７１０が下方向に動こうとしている。しかし、遊技機筐体本体２に固定されている施錠装置ベース部材の切り欠き部に扉１００が入っており、そのため扉１００は上下に動くことができない。また扉１００は、作用板７１０の切り欠き部にも入っているので、結果として、作用板７１０はフロントドア３が閉まるのに必要な下への移動がこれ以上できず、フロントドア３が閉まることができない。
【０１０７】
図２２において、（ｂ−１）〜（ｂ−３）は扉１００が閉鎖されている状態であり、フロントドア３の閉鎖動作によりフロントドア３の爪部７０１の返しが爪受け部７０３にはまり込んで、フロントドア３と筐体本体２との施錠が実現される様子を示している。これに対して図２２の（ａ−１）〜（ａ−３）は、扉１００が開放されており、フロントドア施錠装置７００の爪の受け部７０３を扉１００が覆って、爪部７０１の返しが爪の受け部７０３にかからない状態を説明する概略図である。このように構成しても扉１００が「開」状態ではフロントドア３と筐体本体２との施錠が完了できず、これによって設定スイッチＳＷが「ＯＮ」の状態に放置されるのを防止することができる。
【０１０８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う遊技機もまた本発明の技術的範囲に包含されるものとして理解されなければならない。例えば以下に示す変形例は当然に本発明の技術的範囲に包含されるものと理解すべきものである。
【０１０９】
＜６．変形例＞
１．図１７において、スイッチＳＷの操作部材３６は、施錠装置５００のシリンダ５０と位置的重なり合いを生じる例に付いて説明したが、外筒２００と位置的に重なり合うよう構成してもよい。ただしこの場合には、内筒先端部がスイッチＳＷに押し込まれて施錠されていないにもかかわらず鍵の抜き取りが可能となることが無い様、操作部材３６は内筒３００とは位置的重なり合いをおこさない配置を取ることが好ましい。また、その機能だけの別体を扉に設けても良い。
２．図１４における凸部６１０ａを「ＯＦＦ」状態のスイッチＳＷの操作部として構成してもよい。このように構成した場合、スイッチＳＷが「ＯＦＦ」状態のときのみ扉１００を施錠でき、鍵４０の抜き取りが可能となる。したがって施錠のし忘れ及びスイッチＳＷを「ＯＮ」のまま放置する状況を同時に回避することができる。
３．扉側（移動側）に受け座を設け、ＢＯＸ側（固定側）に、施錠装置および障害部材を設けても良い。
４．以上の説明においては扉１００は、枠部３５にか移動可能に取り付けられている状態を説明したが、本発明はこれに限定されず、例えば図２３に示されるように、枠部３５の両側面に上下方向の溝８０１、扉１００の前記両側面に対応する部分に凸型の条８０２を設けて、扉１００を枠部３５に対して上下方向にスライドすることにより開閉動作を行ってもよい。扉１００を縦方向にスライドさせるように構成した場合、設定スイッチＳＷの操作部材３６は左右方向に「ＯＮ」、「ＯＦＦ」を切り替えることができるように配置し、扉１００の内部側に「Ｌ」字状部材８０３を取り付けるようにしてもよい。このように構成した場合、扉１００が閉鎖の状態においては、設定スイッチＳＷの操作部材３６を「ＯＦＦ」から「ＯＮ」に切り替えようとしても、操作部材３６が「Ｌ」字状部材８０３に衝突して、「ＯＮ」とすることができない。一方扉１００を「開」の状態、すなわち下方又は上方にスライド移動させると、「Ｌ」字状部材８０３もそれに伴って移動するので、設定スイッチＳＷの操作部材３６を「ＯＦＦ」から「ＯＮ」に切り替えることができるようになる。従ってこのようにしても、扉１００が閉鎖状態にあるときに設定スイッチＳＷの操作部材３６を「ＯＦＦ」から「ＯＮ」に切り替えることができないように構成することが可能となる。さらに上記構成において、上下方向を左右方向に置き換えて構成してもよい。
【０１１０】
【発明の効果】
以上に説明したように、請求項１の発明によれば切り替えスイッチは、枠部と扉とにより保護されているので、不正行為を招きにくい。
【０１１１】
請求項２の発明によれば切り替えスイッチと施錠装置とは独立して設けられているので、遊技機の設定を変更するには、まず施錠装置を開錠してから切り替えスイッチを「ＯＮ」の状態に切り替える必要がある。したがって、設定変更可能な状態にするには二段階の操作を必要とするので、いわゆるキースイッチのようにキー操作のみにて直接設定を変更可能な状態にできる場合に比較して、不正操作を行いにくい。また、スイッチの電気的構成と施錠装置の機械的構成とが分離独立しているので、メンテナンスや故障の際の対応が容易なものとなる。また、スイッチ部分と施錠装置部分とで個別に取替えることができる。
【０１１２】
請求項３の発明によれば障害部材は、確率設定部本体により、直接接触を受けて移動されるので、２以上の部材により構成されるものに比べて構造が簡単であり、誤作動が起こりにくい。したがって、製造コストの低減が可能となり、また使用に伴う故障の発生が少なく、動作の信頼性の高い長寿命の施錠装置を備えた遊技機を提供することができる。
【０１１３】
請求項４の発明によれば、扉が開かれた状態では、障害部材が回転子の回転を規制し、扉を閉じる動作により障害部材が移動されて、はじめて回転子の施錠位置までの回転が許容される。一方錠の鍵は施錠位置のみにて抜き取ることができるようにされている。したがって、この遊技機においては、施錠が完了しない限り鍵の抜き取りをすることができないので、施錠のし忘れを防止することができる。例えば遊技場の従業員が遊技確率の設定操作を行った後に施錠装置の施錠を忘れそうになっても、鍵を抜き取ることができないので、施錠のし忘れにすぐに気が付き、結果として施錠が確実に行われる。もって鍵のかけ忘れに乗じた不正行為の発生を未然に防止することができる。
【０１１４】
請求項５の発明によれば、扉が閉鎖中にはスイッチを「ＯＮ」とすることはできないので、遊技機外部から物を差し入れて確率の設定を変えようとする不正を防止することができる。
【０１１５】
請求項６の発明によれば、設定を変更できる状態のまま扉を閉じようとしても、錠とスイッチ操作部材との衝突が発生するので扉を閉じることができない。したがって設定可能な状態のまま扉が閉じられて放置されるような事態が回避され、不正行為を未然に防ぐことができる。
【０１１６】
請求項７の発明によれば、障害部材は「ＯＦＦ」状態の操作部材からの直接の接触により移動されて回転子との衝突状態が解除され、鍵の抜き取りが可能となる。すなわち簡素な構造にて鍵のかけ忘れを防止することができる。
【０１１７】
請求項８の発明によれば、不正行為を行おうとするものが、確率設定部の蓋を開けようとしても、蓋の固定手段が遮蔽部により覆われているので、不正行為の目的を果たすことが困難である。
【０１１８】
請求項９の発明によれば、不正行為を行おうとするものが、確率設定部を筐体から取り外そうとしても、確率設定部を筐体に固定している固定手段が第２の遮蔽部にて覆われているので目的を果たすことができない。
【０１１９】
請求項１０の発明によれば、扉が開状態の時にはフロントドアの閉鎖ができないので、第２の施錠装置の施錠をすることもできない。したがって、たとえ切り替えスイッチがオンのまま扉が開状態にされた場合であってもその状態にすぐに気がつくことができ、切り替えスイッチがオンのままに放置される状態が回避される。
【０１２０】
請求項１１の発明によれば、請求項１０の発明と同様に、扉が開状態の時には第２の施錠装置の施錠をすることができない。したがって、たとえ切り替えスイッチがオンのまま扉が開状態にされた場合であってもその状態にすぐに気がつくことができ、切り替えスイッチがオンのままに放置される状態が回避される。
【図面の簡単な説明】
【図１】スロットマシンの外観を示す斜視図である。
【図２】スロットマシンのフロントドアを開いて筐体の内部を示す斜視図である。
【図３】設定装置の外観を示す斜視図である。
【図４】設定装置の分解斜視図である。
【図５】錠を構成する各部品を示す分解斜視図である。
【図６】外筒の（ａ）は裏面図、（ｂ）は一部を破断した側面図、（ｃ）は正面図である。
【図７】（ａ）は図６（ｂ）におけるＶＩＩａ−ＶＩＩａ線断面図、（ｂ）は図６（ａ）におけるＶＩＩｂ−ＶＩＩｂ線断面図、（ｃ）は図６（ａ）におけるＶＩＩｃ−ＶＩＩｃ線断面図である。
【図８】内筒の（ａ）は裏面図、（ｂ）は側面図、（ｃ）は正面図、（ｄ）は（ａ）に対して図で表された方向の側面図、（ｅ）は他の角度から見た側面図である。
【図９】（ａ）は図８（ａ）におけるＩＸａ−ＩＸａ線断面図、（ｂ）は図８（ａ）におけるＩＸｂ−ＩＸｂ線断面図、（ｃ）は図８（ｂ）におけるＩＸｃ−ＩＸｃ線断面図である。
【図１０】シリンダに取り付けられた舌状部材の（ａ）は正面図、（ｂ）は側面図、（ｃ）は裏面図である。（ｄ）は鍵を示す図である。
【図１１】（ａ）は舌状部材、（ｂ）は内筒の動きの方向を示す斜視図である。
【図１２】外筒、内筒、及び舌状部材の配置の関係を示し、（ａ）は開錠位置、（ｂ）は開錠位置から施錠位置にキー操作して、途中で舌状部材が内筒に止められた位置、（ｃ）は施錠位置の３者の配置を示す斜視図である。
【図１３】（ａ）は内筒と舌状部材の動きを模式的に示す図、（ｂ）は開閉装置に取り付けられた施錠装置を示す断面図である。
【図１４】固定部と扉との間の距離が比較的長い場合の構成を示す図である。
【図１５】施錠装置の受け座を透視して示す図である。
【図１６】図１５の施錠装置を設定装置に取り付けた状態を示す図である。
【図１７】施錠装置のスイッチ操作部との位置関係の一例を示す図である。
【図１８】フロントドア及びその施錠装置、並びに筐体内スイッチボックスを示す斜視図である。
【図１９】扉がフロントドアの一部に位置的に重なり合いを生じている状態を示す概略平面図である。
【図２０】扉がフロントドアの一部に位置的に重なり合いを生じている他の一例を示す概略斜視図である。
【図２１】扉がフロントドアの一部に位置的に重なり合いを生じているさらに他の一例を示す概略図である。
【図２２】フロントドア施錠装置の爪の受け部を扉が覆って、爪がかからない状態を説明する概略図である。
【図２３】開閉装置が閉の状態では切り替えスイッチが「ＯＮ」の状態になり得ない他の一例を示す図である。
【符号の説明】
ＳＷ　スイッチ（切り替えスイッチ）
１　スロットマシン（遊技機）
３　フロントドア
３０　設定装置（確率設定部）
３１　切り替え部
３５　枠部
３６　操作部材（操作部）
４０　鍵
６０　舌状部材（回転子）
１００　扉（閉鎖部）
１０２ｃ　遮蔽部
３００　内筒（障害部材）
４００　設定ボックス（確率設定部本体）
４０１　蓋
４０９　孔（固定手段）
４０９ａ　止めねじ（固定手段）
４１２　孔（第２の固定手段）
５００　施錠装置
７００　フロントドア施錠装置（第二の施錠装置）
【図１】
2004065684.tif 000003
【図２】
2004065684.tif 000004
【図３】
2004065684.tif 000005
【図４】
2004065684.tif 000006
【図５】
2004065684.tif 000007
【図６】
2004065684.tif 000008
【図７】
2004065684.tif 000009
【図８】
2004065684.tif 000010
【図９】
2004065684.tif 000011
【図１０】
2004065684.tif 000012
【図１１】
2004065684.tif 000013
【図１２】
2004065684.tif 000014
【図１３】
2004065684.tif 000015
【図１４】
2004065684.tif 000016
【図１５】
2004065684.tif 000017
【図１６】
2004065684.tif 000018
【図１７】
2004065684.tif 000019
【図１８】
2004065684.tif 000020
【図１９】
2004065684.tif 000021
【図２０】
2004065684.tif 000022
【図２１】
2004065684.tif 000023
【図２２】
2004065684.tif 000024
【図２３】
2004065684.tif 000025